【事件の表示】
　平成１１年特許願第１４２７１４号「インクカートリッジ」拒絶査定不服審判事件〔平成１２年１１月２８日出願公開、特開２０００−３２６５２７〕について、次のとおり審決する。
【結　論】
　本件審判の請求は、成り立たない。
【理　由】
第１　手続の経緯
　本願は、平成１１年５月２４日の出願であって、平成２０年６月２３日付け拒絶理由通知に対して、平成２０年８月２５日付けで意見書が提出されたが、平成２０年９月１１日付けで拒絶査定がなされ、これに対し、同年１０月１６日に拒絶査定不服審判が請求されたものである。
　さらに、当審で審理した結果、平成２２年６月２５日付けで拒絶の理由（最初）を通知したところ、同年８月３０日付けで意見書が提出されたものである。
　　　　　
第２　本願発明
　本願の請求項１及び２に係る発明は、本願明細書の特許請求の範囲の請求項１及び２に記載されたとおりのものであるところ、その請求項１に係る発明（以下「本願発明」という。）は、次のとおりのものである。
　　　　　　　　　　　
「【請求項１】インクを収容する空間を有し、通気孔が形成されたケースと、前記通気孔に取り付けられた通気フィルタとを備え、前記通気フィルタが、フッ素樹脂多孔質膜と通気性支持材とをそれぞれ少なくとも１層含む積層体であり、前記フッ素樹脂多孔質膜が前記空間に面するように配置されていることを特徴とするインクカートリッジ。」
　　　　　　　　　　
第３　引用文献に記載の事項
１　当審の拒絶の理由に引用された本願出願前に頒布された刊行物である特開平４−１４４６３号公報（以下「引用文献」という。）には、図とともに以下の事項が記載されている（下線は審決で付した。以下同じ。）。
    　
　ア　「２．特許請求の範囲
　往復動自在に保持されたキャリアに
大気に連通する通気孔が外壁に形成されたインクタンク
多孔質部材により形成された蓋を前記通気孔の開口面に密着させて設けた
インクジェットプリンタのインクタンク
  　　　　　
　イ　「実施例
　本発明の一実施例を第１図に基づいて説明する。１は用紙案内板２，３を対向させることにより形成された用紙通路ある。この用紙通路１には複数の用紙送りローラ４，５，６が配列されている。また、上側の用紙案内板２に一体的に形成された案内面７の下面に接触するローラ８と用紙案内板２の上面に接触するローラ９とを有して往復動駆動されるキャリア１０には、プリンタヘッド１１が着脱自在に保持されている。このプリンタヘッド１１は、
インク１２を貯蔵するインクタンク１３
インクタンク１３の蓋１５に空気孔１６が形成されている。
ミクロテックス等の商品名で知られているような四弗化エチレン樹脂等の多孔質材料により形成された蓋１７が、前記空気孔１６の開口面に密着されている
           　　　
　上記のことから、引用文献には次の発明が記載されている（以下「引用発明」という。）と認められる。 
 　　　             
「インクを貯蔵し大気に連通する空気孔が形成された外壁と、空気孔に密着した多孔質材料により形成された蓋とを備え、
　多孔質材料が、四弗化エチレン樹脂等で形成されたゴアテックスやミクロテックスである、インクタンク。」
　　　　 　　　　　　 
第４　対比・判断　　 
１　対比　
（１）本願発明と引用発明との対比 　
　ア　引用発明の「インク」は本願発明の「インク」に相当し、同様に、
「貯蔵し」は「収容する」に、
「外壁」は「ケース」に、
「大気に連通する空気孔」は「通気孔」に、
「多孔質材料により形成された蓋」は「通気フィルタ」に相当する。
  　　　
　イ　上記アより、引用発明の「インクを貯蔵し大気に連通する空気孔が形成された外壁と、空気孔に密着した多孔質材料により形成された蓋とを備え」は本願発明の「インクを収容する空間を有し、通気孔が形成されたケースと、前記通気孔に取り付けられた通気フィルタとを備え」に相当する。
    　
　ウ　引用発明の「ゴアテックス」及び「ミクロテックス」が、フッ素樹脂多孔質膜からなる素材であることは、当業者にとって周知の事実である（例えば、特開平１０−３１７８４７号公報の【０００８】及び【００１４】、特開平６−５０５８１号公報の【００１５】及び【００２１】、特開平１−２３０６４６号公報の第３頁左上欄ないし同頁右上欄を参照。）。
　してみれば、引用発明の「多孔質材料が、四弗化エチレン樹脂等で形成されたゴアテックスやミクロテックスである」と本願発明の「通気フィルタが、フッ素樹脂多孔質膜と通気性支持材とをそれぞれ少なくとも１層含む積層体であり、前記フッ素樹脂多孔質膜が前記空間に面するように配置されている」とは、
「
通気フィルタが、フッ素樹脂多孔質膜を含む
　
　エ　引用発明の「インクタンク」と本願発明の「インクカートリッジ」とは、「
インクを収容する容器
　  　
（２）してみると、本願発明と引用発明とは以下の点で一致する。 
　＜一致点＞ 
「インクを収容する空間を有し、通気孔が形成されたケースと、前記通気孔に取り付けられた通気フィルタとを備え、前記通気フィルタが、フッ素樹脂多孔質膜を含む、インクを収容する容器。」
　　　　
（３）一方で、本願発明と引用発明は、以下の点で相違する。 
　＜相違点１＞ 
　通気フィルタに関し 
　本願発明が「フッ素樹脂多孔質膜と通気性支持材とをそれぞれ少なくとも１層含む積層体であり、前記フッ素樹脂多孔質膜が前記空間に面するように配置されている」と特定されるものであるのに対して、引用発明では上記特定を有していない点。 
 　 　
　＜相違点２＞
　インクを収容する容器に関し
　本願発明が「インクカートリッジ」と特定されるものであるのに対して、引用発明では上記特定を有していない点。
　　　　　　　　　
２　判断
（１）上記＜相違点１＞について 
　ア　フッ素樹脂多孔質膜と通気性支持材とを積層した通気フィルタは、本願出願前に周知である（例えば、特開平１０−８５５３６号公報【００２５】、特開平９−１６２０８０号公報【００１１】、特開平９−６３３１２号公報【００４４】、特開平８−３２３１３２号公報図６、特開平６−５０５８１号公報【００１５】、特開平４−２０２８１号公報第１図、特公平２−１８１０１号公報第４図、実願昭５８−６８４３２号（実開昭５９−１７２４３８号）のマイクロフィルム第１図、実願昭５５−５８９０１号（実開昭５６−１６０２５３号）のマイクロフィルム第１図。以下「周知技術１」という。）。 
　　　 　   　
　イ　また、フッ素樹脂多孔質膜を容器内の空間に面するようになすことも、本願出願前に周知である（例えば、上記「周知技術１」で例示した、特開平４−２０２８１号公報第１図、実願昭５５−５８９０１号（実開昭５６−１６０２５３号）のマイクロフィルム第１図を参照。以下「周知技術２」という。）。 
 　　　 　　　 
　ウ　さらに、多孔質膜と通気性支持材を積層した通気性フィルタを密着させる際に、通気性支持材側から熱を加えて溶着させることも、本願出願前に周知である（例えば、上記「周知技術１」で例示した、特開平１０−８５５３６号公報【００２５】、特公平２−１８１０１号公報第５欄ないし６欄を参照。以下「周知技術３」という。）。
    　
　エ　上記アないしウより、引用発明において、四弗化エチレン樹脂に通気性支持材を積層して通気フィルタとなすとともに、通気性支持材側から熱を加えて通気フィルタを通気孔に密着させることは、当業者が容易になし得たことである。
  　
　オ　上記エのようにした引用発明の通気フィルタは「フッ素樹脂多孔質膜と通気性支持材とをそれぞれ少なくとも１層含む積層体であり、前記フッ素樹脂多孔質膜が前記空間に面するように配置されている」との構成を備えることになる。　　
　  　　　
　カ　以上のことから、引用発明において、上記＜相違点１＞に係る本願発明の構成を採用することは、当業者が周知技術１ないし３に基づいて容易になし得たことである。 
　       
（２）上記＜相違点２＞について
　ア　通気孔に多孔質膜を配置したインクカートリッジは、本願出願前に周知である（例えば、特開平９−１４１８９１号公報の【００１０】及び図１、特開平８−１１８６７６号公報の【００７１】及び図３、特開平６−２８６１５２号公報の【００２６】及び図８を参照。以下「周知技術４」という。）。　　
       　　
　イ　してみれば、引用発明の「インクタンク」をインクカートリッジとすることは、当業者が必要に応じて適宜なし得たことである。　　　
  　
　ウ　以上のことから、引用発明において、上記＜相違点２＞に係る本願発明の構成を採用することは、当業者が周知技術４に基づいて適宜なし得たことである。 　　　　　
      　　　　
　また、本願発明が奏する効果も、当業者が引用発明及び周知技術１ないし４から予測し得る範囲内のものである。　　
         　                      　　  　　　　　
　＜相違点についてのまとめ＞  
　以上のことから、引用発明において、上記＜相違点１＞及び＜相違点２＞に係る本願発明の構成を採用することは、当業者が引用発明及び周知技術１ないし４に基づいて、容易になし得たことである。   
　 　　　 
第５　むすび  
　以上のとおり、本願発明は、当業者が引用刊行物に記載された発明及び周知技術に基づいて容易に発明をすることができたものであるから、特許法第２９条第２項の規定により特許を受けることができない。  
　よって、結論のとおり審決する。